Podtech/llm-jp-corpus-v4-ja_patent huggingface dataset:
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
デンプンを除去したトウモロコシ繊維の１つ又は複数の成分を分離する方法であって、
（ａ）ヘミセルロースと、セルロースと、リグニンとを含むマトリックスを含むデンプンを除去したトウモロコシ繊維を、少なくとも１つの弱酸を含み、０．０１Ｍ〜１Ｍの範囲である弱酸（単数又は複数）の総濃度を有する水性抽出液と接触させて抽出混合物を形成することと、
（ｂ）加水分解を介してヘミセルロースとリグニンとの連結を破壊するのに前記抽出液が十分酸性となるように、前記抽出混合物の温度を制御することによって（ＴＳＯＬ）、前記デンプンを除去したトウモロコシ繊維のヘミセルロースを可溶化させ、それにより、前記可溶化したヘミセルロースを前記抽出液に溶解することと、
（ｃ）前記溶解されたヘミセルロースを実質的に解重合するのには前記抽出液が十分に酸性でないように、前記抽出混合物の温度を制御することによって（ＴＱＵＥＮＣＨ）、加水分解をクエンチさせることと、
（ｄ）前記抽出混合物を、溶解されたヘミセルロースを含む可溶性画分と、セルロース及びリグニンを含む不溶性画分とに分離することと、
を含み、
前記方法において、
前記可溶性画分の溶解されたヘミセルロースがデンプンを除去したトウモロコシ繊維の３０〜７５重量％の範囲にある量であり、前記不溶性画分のセルロースがデンプンを除去したトウモロコシ繊維の１５〜３０重量％の範囲にある量であり、
少なくとも３０重量％の溶解されたヘミセルロースが少なくとも１１の重合度を有し、
１０重量％以下の溶解されたヘミセルロースが３〜１０の重合度を有し、
６０重量％以下の溶解されたヘミセルロースが１〜２の重合度を有する、
トウモロコシ繊維の１つ又は複数の成分を分離する方法。
【請求項２】
抽出液から前記溶解されたヘミセルロースを分離するように、前記可溶性画分を処理することを更に含む、請求項１に記載の方法。
【請求項３】
各弱酸が−２より大きいｐＫａ（２５℃水溶液中）を有する、請求項１又は２に記載の方法。
【請求項４】
各弱酸が少なくとも２のｐＫａ（２５℃水溶液中）を有する、請求項１又は２に記載の方法。
【請求項５】
前記少なくとも１つの弱酸が、クエン酸、乳酸、リンゴ酸、酢酸、フマル酸、ギ酸、シュウ酸、及びそれらの組合せからなる群から選択される、請求項１〜４のいずれか一項に記載の方法。
【請求項６】
前記抽出混合物が、約１：１００〜約６０：１００の範囲である、トウモロコシ繊維と抽出液との重量比を有する、請求項１〜５のいずれか一項に記載の方法。
【請求項７】
ＴＳＯＬが約５０℃〜約３５０℃の範囲であり、ＴＱＵＥＮＣＨが約５℃〜約４０℃の範囲であり、クエンチ中のＴＳＯＬからＴＱＵＥＮＣＨへの平均変化速度が、約０．１℃／ｓ〜約５℃／ｓの範囲である、請求項１〜６のいずれか一項に記載の方法。
【請求項８】
ＴＳＯＬが約１２０℃〜約１５０℃の範囲であり、ＴＱＵＥＮＣＨが約１０℃〜約３０℃の範囲であり、クエンチ中のＴＳＯＬからＴＱＵＥＮＣＨへの平均変化速度が、約０．５℃／ｓ〜約１℃／ｓの範囲である、請求項１〜６のいずれか一項に記載の方法。
【請求項９】
前記抽出混合物が、約１分〜約２００分の範囲である期間（ｔＳＯＬ）中ＴＳＯＬにある、請求項１〜８のいずれか一項に記載の方法。
【請求項１０】
前記可溶性画分の溶解されたヘミセルロースが、前記デンプンを除去したトウモロコシ繊維の約５０重量％〜約６０重量％の範囲にある量であり、前記不溶性画分のセルロースが、前記デンプンを除去したトウモロコシ繊維の約２０重量％〜約３０重量％の範囲にある量である、請求項１〜９のいずれか一項に記載の方法。
【請求項１１】
前記可溶性画分の溶解されたヘミセルロースが、（ｉ）前記溶解されたヘミセルロースの約３０重量％〜約４０重量％の範囲である総量の単糖類及び二糖類と、（ｉｉ）前記溶解されたヘミセルロースの約５重量％より少ない総量のオリゴ糖と、（ｉｉｉ）前記溶解されたヘミセルロースの約５５重量％〜約７０重量％の範囲である総量の多糖類とを含む、請求項１〜９のいずれか一項に記載の方法。
【請求項１２】
前記溶解されたヘミセルロースの少なくとも４０重量％が少なくとも３の重合度を有する、請求項１〜１１のいずれか一項に記載の方法。
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
高度に水性の抗菌的に有効な局所組成物であって:
抗菌特性又は殺菌特性を有する少なくとも1つの第1のカチオン界面活性剤又はその塩又はその塩形態;
下記構造(I)の抗菌特性又は殺菌特性を有する少なくとも1つの異なる第2の第四級アンモニウムカチオン界面活性剤又はその塩形態:
【化１】
2014520137.tif 000001
(式中、
R1は、C20 - C36の、好ましくは置換されていないアルキル部分であり、必要により分枝されていてもよいが、好ましくは分枝されてなく、
R2、R3及びR4は、独立してC1-C3アルキル部分であり、
Xは、第2の第四級界面活性剤を水溶性又は水分散性にする塩形成対イオンであり、
組成物において主な更なる界面活性剤であるアミンオキシド非イオン界面活性剤
を含み、
組成物が、4.5 - 6のpH範囲にあり、且つ組成物が、局所表面に洗浄組成物として用いられる低粘度の注ぎうる非加圧液体である、前記組成物。
【請求項２】
アミンオキシド界面活性剤が、抗菌特性又は殺菌特性を有する少なくとも1つの第1のカチオン界面活性剤又はその塩形態と少なくとも1つの異なる第2の第四級アンモニウムカチオン界面活性剤又はその塩形態の量以外の組成物中に存在する全ての界面活性剤の全質量の少なくとも90%を含む、請求項1に記載の組成物。
【請求項３】
アミンオキシド界面活性剤が、抗菌特性又は殺菌特性を有する少なくとも1つの第1のカチオン界面活性剤又はその塩形態と少なくとも1つの異なる第2の第四級アンモニウムカチオン界面活性剤又はその塩形態の量以外の組成物中に存在する全ての界面活性剤の全質量の少なくとも95%を含む、請求項1又は2に記載の組成物。
【請求項４】
アミンオキシド界面活性剤が、抗菌特性又は殺菌特性を有する少なくとも1つの第1のカチオン界面活性剤又はその塩形態と少なくとも1つの異なる第2の第四級アンモニウムカチオン界面活性剤又はその塩形態の量以外の組成物中に存在する唯一の更なる界面活性剤である、請求項1〜3のいずれか1項に記載の組成物。
【請求項５】
組成物が、4.5 - 5.5のpH範囲にある、請求項1〜4のいずれか1項に記載の組成物。
【請求項６】
組成物が、更に、グリセリン、グリコールエーテル、及びオキシアルキレン化化合物を含む、請求項1〜5のいずれか1項に記載の組成物。
【請求項７】
オキシアルキレン化化合物が、100〜200のエチレンオキシド単位を有するポリエチレングリコールである、請求項6に記載の組成物。
【請求項８】
前記組成物が、EN 1276に準じるE. コリ、S. アウレウス、P. アルギノーザ、及びE. ハイレの1つ以上、好ましくは2つ以上、又は好ましくは3つ以上より選ばれる暴露微生物の1つ以上の少なくとも3×log10減少(99.9%)、好ましくは少なくとも4×log10減少を示す、請求項1〜7のいずれか1項に記載の組成物。
【請求項９】
前記組成物が、ASTM E-1054-08、抗菌剤の不活性化物質の評価のための標準試験法に準じて60秒の接触時間試験した場合、下記の暴露微生物の少なくとも4×log10減少を示す、請求項1〜7のいずれか1項に記載の組成物:
エンテロコッカス・フェカリス(ATCC #51299)
エシェリキア・コリ(ATCC #11229)
クレブシエラ・ニューモニエ ニューモニエ(ATCC #10031)
シュードモナス・アルギノーザ(ATCC #9027)
スタフィロコッカス・アウレウス アウレウス(ATCC #6538)
スタフィロコッカス・アウレウス アウレウス MRSA(ATCC #33592)
スタフィロコッカス・エピデルミディス(ATCC #12228)
ストレプトコッカス・ニューモニエ(ATCC #6303)
ストレプトコッカス・ピオゲネス(ATCC #19615)
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
式（ＩＩ）
【化１】
2014520136.tif 000001
のβ−１，２−結合マンノオリゴ糖化合物
（式中、各Ｒは、アセチル（ＣＯＣＨ３）、水素（Ｈ）、及びトリフルオロアセチル（ＣＯＣＦ３）からなる群から独立して選択される）を含む、免疫賦活剤。
【請求項２】
前記β−１，２−結合マンノオリゴ糖化合物の各Ｒがアセチル（ＣＯＣＨ３）である、請求項１に記載の免疫賦活剤。
【請求項３】
医薬品として使用するための、請求項１又は２に記載の免疫賦活剤。
【請求項４】
ワクチンのアジュバントとして使用するための、請求項１又は２に記載の免疫賦活剤。
【請求項５】
Ｔｒｅｇ及び／若しくはＴｈ１型を誘導すること、並びに／又はＴｈ２型免疫応答を阻害することによって予防又は処置できる状態の処置に使用するための、請求項１又は２に記載の免疫賦活剤、又はそれらの組合せ。
【請求項６】
状態が、Ｉ型即時型アトピー性アレルギーである、請求項５に記載の使用のための免疫賦活剤。
【請求項７】
状態が、
ａ）アトピー性湿疹／アトピー性皮膚炎症候群（ＡＥＤＳ）、
ｂ）アレルギー性喘息、
ｃ）アレルギー性鼻炎、
ｄ）アレルギー性蕁麻疹、
ｅ）食物アレルギー、
ｆ）毒物アレルギー、及び
ｇ）アレルギー性鼻結膜炎
からなる群から選択される、請求項５又は６に記載の使用のための免疫賦活剤。
【請求項８】
状態が、感染性疾患である、請求項５に記載の免疫賦活剤。
【請求項９】
式（ＩＩ）
【化２】
2014520136.tif 000002
のβ−１，２−結合マンノオリゴ糖化合物
（式中、各Ｒは、アセチル（ＣＯＣＨ３）、水素（Ｈ）、及びトリフルオロアセチル（ＣＯＣＦ３）からなる群から独立して選択される）の少なくとも１つ、又はそれらの混合物、及び医薬として許容できる担体を含み、該医薬として許容できる担体が、経皮担体、経粘膜担体、経口担体、非経口担体、デポー製剤用担体、及び徐放性製剤用担体からなる群から好ましくは選択される、免疫賦活組成物。
【請求項１０】
前記β−１，２−結合マンノオリゴ糖化合物の各Ｒがアセチル（ＣＯＣＨ３）である、請求項９に記載の免疫賦活組成物。
【請求項１１】
担体が、舌下及び／又はバッカル投与のための経粘膜担体である、請求項９又は１０に記載の免疫賦活組成物。
【請求項１２】
特異的アレルゲン免疫療法のためのアレルゲン調製物；及び／又は追加的なアレルギー薬又は喘息薬をさらに含む、請求項９から１１までのいずれか一項に記載の免疫賦活組成物。
【請求項１３】
感染性疾患に対するワクチン接種のための微生物特異的抗原；及び／又は抗微生物剤をさらに含む、請求項９から１２までのいずれか一項に記載の免疫賦活組成物。
【請求項１４】
式（ＩＩ）
【化３】
2014520136.tif 000003
のβ−１，２−結合マンノオリゴ糖化合物
（式中、各Ｒは、アセチル（ＣＯＣＨ３）、水素（Ｈ）、及びトリフルオロアセチル（ＣＯＣＦ３）からなる群から独立して選択される）の少なくとも１つ、又はそれらの組み合わせを含む、食品添加剤、又は栄養調製物。
【請求項１５】
前記β−１，２−結合マンノオリゴ糖化合物の各Ｒがアセチル（ＣＯＣＨ３）である、請求項１４に記載の食品添加剤、又は栄養調製物。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
植物性バターを含む非食用固体化粧品組成物であって、前記非食用固体化粧品組成物が、その中に気泡を分散させており、前記気泡が、前記非食用固体化粧品組成物の体積の少なくとも２０％を形成する、非食用固体化粧品組成物。
【請求項２】
植物性バターが、２又は３以上の植物性バターの混合物である、請求項１に記載の非食用固体化粧品組成物。
【請求項３】
植物性バターが、アロエバター、アボカドバター、ココアバター、コーヒー豆バター、クプアスバター、精製バター、麻実バター、イリッペバター、コクムバター、マカダミアナッツバター、マンゴーバター、モカチーノバター、ムルムルバター、オリーブバター、ピスタチオナッツバター、シアバター、ココナツバター、シェイローバター、スイートアーモンドバター及びそれらの混合物から選択される、請求項１又は２に記載の非食用固体化粧品組成物。
【請求項４】
植物性バターが、ココアバターとシアバターとの混合物である、請求項３に記載の非食用固体化粧品組成物。
【請求項５】
植物性バターが、全組成物の１０重量％〜９９重量％の量で存在する、請求項１〜４のいずれかに記載の非食用固体化粧品組成物。
【請求項６】
植物性バターが、全組成物の８０重量％〜９９重量％の量で存在する、請求項１〜５のいずれかに記載の非食用固体化粧品組成物。
【請求項７】
全組成物の５重量％〜９４重量％の量のココアバターを含む、請求項１〜６のいずれかに記載の非食用固体化粧品組成物。
【請求項８】
全組成物の７０重量％〜９０重量％の量のココアバターを含む、請求項７に記載の非食用固体化粧品組成物。
【請求項９】
全組成物の５重量％〜９４重量％の量のシアバターを含む、請求項１〜８のいずれかに記載の非食用固体化粧品組成物。
【請求項１０】
全組成物の１０重量％〜２０重量％の量のシアバターを含む、請求項９に記載の非食用固体化粧品組成物。
【請求項１１】
芳香剤をさらに含む、請求項１〜１０のいずれかに記載の非食用固体化粧品組成物。
【請求項１２】
芳香剤が、エッセンシャルオイルから選択される、請求項１１に記載の非食用固体化粧品組成物。
【請求項１３】
全組成物の０．５重量％〜４重量％の量の芳香剤を含む、請求項１１又は１２に記載の非食用固体化粧品組成物。
【請求項１４】
（ｉ）全組成物の７０重量％〜９０重量％の量のココアバター
（ii）全組成物の１０重量％〜２５重量％の量のシアバター
（iii）全組成物の２重量％〜４重量％の量の芳香剤
を含む、請求項１に記載の非食用固体化粧品組成物。
【請求項１５】
結合剤、充填剤、乳白剤、香料、芳香剤、装飾用アイテム及びそれらの混合物から選択される少なくとも１つの追加の構成成分をさらに含む、請求項１〜１４のいずれかに記載の非食用固体化粧品組成物。
【請求項１６】
気泡が、非食用固体化粧品組成物の体積の少なくとも４０％を形成する、請求項１〜１５のいずれかに記載の非食用固体化粧品組成物。
【請求項１７】
気泡が、非食用固体化粧品組成物の体積の４０％〜８０％を形成する、請求項１〜１６のいずれかに記載の非食用固体化粧品組成物。
【請求項１８】
非食用固体化粧品組成物が、マッサージバーである、請求項１〜１７のいずれかに記載の非食用固体化粧品組成物。
【請求項１９】
非食用固体化粧品組成物が、シェルコーティングを含む、請求項１〜１８のいずれかに記載の非食用固体化粧品組成物。
【請求項２０】
シェルコーティングが、その中に気泡を分散させている非食用固体化粧品組成物と同じ材料から形成される、請求項１９に記載の非食用固体化粧品組成物。
【請求項２１】
請求項１〜２０のいずれかで定義される非食用固体化粧品組成物を生成するためのプロセスであって、
ｉ）１又は２以上の植物性バターを融解させるステップと、
ii）前記融解させた１又は２以上の植物性バター内に気泡が形成されるように、前記融解させたバターに減圧をかけるステップと、
iii）ステップii）の混合物を凝固させるステップと
を含むプロセス。
【請求項２２】
ステップii）の混合物を、所定の形状に凝固させる、請求項２１に記載のプロセス。
【請求項２３】
減圧が、融解させた生成物に１気圧を上回る圧力をかけ、次いで続いて前記圧力を低減することによってもたらされる、請求項２１又は２２に記載のプロセス。
【請求項２４】
減圧が、融解させた生成物に１気圧よりも低い圧力をかけることによってもたらされる、請求項２１又は２２に記載のプロセス。
【請求項２５】
請求項２１〜２４のいずれかに記載のプロセスにより得られる又は得ることができる生成物。
【請求項２６】
使用者の皮膚を、請求項１〜２０のいずれかで定義される非食用固体化粧品組成物と接触させることを含む化粧方法。
【手続補正書】
【提出日】平成27年4月22日(2015.4.22)
【手続補正１】
【補正対象書類名】明細書
【補正対象項目名】００３３
【補正方法】変更
【補正の内容】
【００３３】
成分ｉ）がメタクリル酸ベンジル以外のモノマーを含む場合、これらはＣ１−２０ヒドロカルビル（メタ）アクリレートであることが好ましい。Ｃ１−２０ヒドロカルビル基はアルキル基であることが好ましい。アルキル基は、線状または分枝状であることができる。その好ましい例としては、（メタ）アクリル酸ブチル、（メタ）アクリル酸オクチル、２−エチルヘキシル（メタ）アクリレート、（メタ）アクリル酸メチル、アクリル酸イソボルニル、アクリル酸ラウリル、およびアクリル酸ステアリルが挙げられる。
【手続補正２】
【補正対象書類名】明細書
【補正対象項目名】００６２
【補正方法】変更
【補正の内容】
【００６２】
適した水溶性ポリマーの例としては、エチレン性不飽和モノマーのポリマー（例えば、ポリアクリル系、ポリアクリルアミド、ポリビニルアルコールおよびポリビニルピロリドン）、ポリエステル、ポリウレタン、セルロース、および特にポリエチレングリコール（ポリエチレンオキシドとよばれることもある）が挙げられる。
【手続補正３】
【補正対象書類名】明細書
【補正対象項目名】００７２
【補正方法】変更
【補正の内容】
【００７２】
われわれは、より大量のポリマー粒子の存在が、インクジェットの操作性および待ち時間に弊害をもたらす可能性があることを見いだした。したがって、インク中のポリマー粒子の量は、重量に基づき１５部以下、より好ましくは１２部以下、特に１０部以下、さらに特に５部以下、もっとも特に３部以下であることが好ましい。場合によっては、インク中のポリマー粒子の量は、重量に基づき０．１〜１５部、より好ましくは１〜１２部、特に３〜１０部である。われわれは、これらの量のポリマー粒子により、基材上に印刷される最終インクの付着性および耐湿潤堅牢性が改善される傾向があることを見いだした。
【誤訳訂正書】
【提出日】平成27年7月3日(2015.7.3)
【誤訳訂正１】
【訂正対象書類名】特許請求の範囲
【訂正対象項目名】全文
【訂正方法】変更
【訂正の内容】
【特許請求の範囲】
【請求項１】
固体粒子が重合体固体粒子で、粒子の表面に、外部と接続する開口を有する泡状の穴である開放的な泡穴が分布しており、前記固体粒子の表層が泡穴層で、該表層以外に泡穴のない部分を有する、粒子の内部が詰まった構造であることを特徴とする洗濯用固体粒子。
【請求項２】
前記固体粒子の泡穴の直径が１０ｎｍ〜１００ｕｍであることを特徴とする請求項１に記載の粒子。
【請求項３】
前記固体粒子の泡穴の密度が１０３個／ｃｍ３〜１０１２個／ｃｍ３であることを特徴とする請求項１に記載の粒子。
【請求項４】
前記固体粒子の密度が０．３ｇ／ｃｍ３〜１ｇ／ｃｍ３であることを特徴とする請求項１に記載の粒子。
【請求項５】
前記固体粒子の形が球形、立方体、円柱形、オリーブの実の形、または三日月形であることを特徴とする請求項１に記載の粒子。
【請求項６】
前記固体粒子の平均粒子直径が１ｍｍ〜１０ｍｍであることを特徴とする請求項１に記載の粒子。
【請求項７】
前記固体粒子の中の重合体がＰＰ、ＰＥ、ＰＳ、ＰＶＣ、ＥＶＡ、ＰＡ、またはＰＥＴ、あるいは前記一種類や多種類の材料の混合物を含むことを特徴とする請求項１に記載の粒子。
【請求項８】
前記固体粒子に無機粉体を含むことを特徴とする請求項１に記載の粒子。
【請求項９】
前記固体粒子に質量分が５％〜１０％の磁性材料を含むことを特徴とする請求項１に記載の粒子。
【請求項１０】
前記磁性材料が鉄、コバルト、ニッケルの中の一種類であることを特徴とする請求項９に記載の粒子。
【請求項１１】
前記磁性材料が鉄、コバルト、ニッケルの中の一種類、二種類や三種類を含む合金であることを特徴とする請求項１０に記載の粒子。
【請求項１２】
前記磁性材料が鉄や鉄合金であることを特徴とする請求項１１に記載の粒子。
【請求項１３】
前記磁性材料が粒状で、粒子の直径が０．０１ｍｍ〜２ｍｍであることを特徴とする請求項１２に記載の粒子。
【請求項１４】
請求項の１−１３のいずれか１項に記載の固体粒子による衣類の洗濯ステップ：
衣類と固体粒子の分離ステップ；
衣類の洗いさらしステップ；
衣類の脱水ステップ；
を含むことを特徴とする固体粒子による洗濯方法。
【請求項１５】
前記固体粒子による衣類の洗濯ステップにまた中性非イオン表面活性剤を使ったことを特徴とする請求項１４に記載の方法。
【請求項１６】
前記固体粒子による衣類の洗濯ステップで、衣類と固体粒子の質量比が１：０．５〜１：５であることを特徴とする請求項１４に記載の方法。
【請求項１７】
前記固体粒子による衣類の洗濯ステップで、衣類と固体粒子の質量比が１：１〜１：３であることを特徴とする請求項１６に記載の方法。
【請求項１８】
前記衣類と固体粒子の分離ステップが磁場で行われることを特徴とする請求項１４に記載の方法。
【誤訳訂正２】
【訂正対象書類名】明細書
【訂正対象項目名】０００４
【訂正方法】変更
【訂正の内容】
【０００４】
プラスチック粒子を洗濯媒質にする場合、その吸着能力に制限があって色飛びが出やすい欠陥を克服するために、本発明は洗濯用固体粒子を提供する。本発明に述べられる固体粒子を使って汚れ物の表面を洗濯する時、粒子の表面に大量の開放的泡穴（開放的な泡穴）があるため、吸着能力が強く、表面活性が高く、容易に汚染物を洗濯待ちの衣類の表面から徹底的に取り除く。なお、本発明において「開放的泡穴（開放的な泡穴）」とは、外部と接続する開口を有する泡状の穴である。本発明はまた固体粒子による洗濯方法を提供する。
【誤訳訂正３】
【訂正対象書類名】明細書
【訂正対象項目名】０００７
【訂正方法】変更
【訂正の内容】
【０００７】
上記の固体粒子の表層が泡穴層で、粒子の内部が詰まった構造のことが好ましい。なお、本発明において「粒子の内部が詰まった構造」とは、表層以外に泡穴のない部分を有する構造である。
【誤訳訂正４】
【訂正対象書類名】明細書
【訂正対象項目名】００１１
【訂正方法】変更
【訂正の内容】
【００１１】
上記の固体粒子の泡穴の密度が１０３個／ｃｍ３〜１０１２個／ｃｍ３であることが好ましい。
【誤訳訂正５】
【訂正対象書類名】明細書
【訂正対象項目名】００１３
【訂正方法】変更
【訂正の内容】
【００１３】
上記の固体粒子の形が球形、立方体、円柱形、オリーブの実の形、または三日月形であることが好ましい。
【誤訳訂正６】
【訂正対象書類名】明細書
【訂正対象項目名】００２１
【訂正方法】変更
【訂正の内容】
【００２１】
衣類と固体粒子の分離ステップ、衣類の洗いさらしステップ、衣類の脱水ステップを含む上記の固体粒子による衣類の洗濯ステップを含むことを特徴とする固体粒子による洗濯方法である。
【誤訳訂正７】
【訂正対象書類名】明細書
【訂正対象項目名】００２２
【訂正方法】変更
【訂正の内容】
【００２２】
上記の方法で衣類を洗濯することは汚染物を徹底的に取り除くことができて、使いやすいのである。
【誤訳訂正８】
【訂正対象書類名】明細書
【訂正対象項目名】００２３
【訂正方法】変更
【訂正の内容】
【００２３】
上記の固体粒子による衣類の洗濯ステップにまた中性非イオン表面活性剤を使うことが好ましい。
【誤訳訂正９】
【訂正対象書類名】明細書
【訂正対象項目名】００２４
【訂正方法】変更
【訂正の内容】
【００２４】
上記の固体粒子による衣類の洗濯ステップに、衣類と固体粒子の質量比が１：０．５〜１：５であることが好ましい。質量比が１：１〜１：３であることが更に好ましい。
【誤訳訂正１０】
【訂正対象書類名】明細書
【訂正対象項目名】００２５
【訂正方法】変更
【訂正の内容】
【００２５】
上記の衣類と固体粒子の分離ステップが磁場で行われることが好ましい。
【誤訳訂正１１】
【訂正対象書類名】明細書
【訂正対象項目名】００３１
【訂正方法】変更
【訂正の内容】
【００３１】
洗濯に適する固体粒子の開孔率が５０％〜１００％である。固体粒子の泡穴の直径が１０ｎｍ〜１００ｕｍである。固体粒子の泡穴の密度が１０３個／ｃｍ３〜１０１２個／ｃｍ３である。固体粒子の密度が０．３ｇ／ｃｍ３〜１ｇ／ｃｍ３である。固体粒子の形が球形、立方体、円柱形、オリーブの実の形、あるいは三日月形である。固体粒子の平均粒子直径が１ｍｍ〜１０ｍｍにある。
【誤訳訂正１２】
【訂正対象書類名】明細書
【訂正対象項目名】００４８
【訂正方法】変更
【訂正の内容】
【００４８】
図５を結び付けて本実施例の洗濯方法を説明する。粒子と衣服の分離に便宜を図るために、洗濯機は洗濯機箱体１１、箱体内部に設けられた外筒１２、外筒の内部に設けられた内筒１３を含んで、内筒１３の外表面に固体粒子を外筒の底部に沿って上へ移動するように押すスクレーパー１４を設けて、外筒１２の内部に磁場があって、上記の磁場が電磁石１５から出て、固体粒子と衣服を分離しようとする場合、電磁石より磁場が出て、即ち、実施例一に述べられた衣類と固体粒子の分離ステップが磁場で行われるのである。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
（ｉ）医薬的に許容される非水性担体であって、前記医薬的に許容される非水性担体が、油であり、前記油が、Ｃ６〜Ｃ１２脂肪酸のエステルである１つまたはそれ以上のトリグリセリドであるか；あるいはオレイン酸エチルまたはゴマ油であるもの；および
（ｉｉ）生体適合性の生物分解性ポリマーおよび５ｍｇ〜１１ｍｇの量で存在する２〜７％（ｗ／ｗ）のＧＬＰ−１受容体アゴニストを含み、前記生体適合性の生物分解性ポリマーが、ポリ（ラクチド−ｃｏ−グリコリド）コポリマー（６０：４０〜４０：６０のラクチド：グリコリド比）であるマイクロスフェア
の懸濁液を含む、予め混合して製造された注射用製剤。
【請求項２】
前記ＧＬＰ−１受容体アゴニストが、７ｍｇ〜９ｍｇの量で存在するものである、請求項１に記載の製剤。
【請求項３】
前記ＧＬＰ−１受容体アゴニストが、７ｍｇの量で存在するものである、請求項１に記載の製剤。
【請求項４】
前記ＧＬＰ−１受容体アゴニストが、８ｍｇの量で存在するものである、請求項１に記載の製剤。
【請求項５】
前記ＧＬＰ−１受容体アゴニストが、９ｍｇの量で存在するものである、請求項１に記載の製剤。
【請求項６】
前記ＧＬＰ−１受容体アゴニストが、エキセンジン−４（配列番号：１）である、請求項１に記載の製剤。
【請求項７】
前記ＧＬＰ−１受容体アゴニストが、エキセンジン−４（配列番号：１）、Ｌｅｕ１４−エキセンジン−４（配列番号：３）；Ｌｅｕ１４，Ｐｈｅ２５−エキセンジン−４（配列番号：４）；Ｌｅｕ１４，Ａｌａ１９，Ｐｈｅ２５−エキセンジン−４（配列番号：５）；エキセンジン−４（１−３０）（配列番号：６）；Ｌｅｕ１４−エキセンジン−４（１−３０）（配列番号：７）；Ｌｅｕ１４，Ｐｈｅ２５−エキセンジン−４（１−３０）（配列番号：８）；Ｌｅｕ１４，Ａｌａ１９，Ｐｈｅ２５−エキセンジン−４（１−３０）（配列番号：９）；エキセンジン−４（１−２８）（配列番号：１０）；Ｌｅｕ１４−エキセンジン−４（１−２８）（配列番号：１１）；Ｌｅｕ１４，Ｐｈｅ２５−エキセンジン−４（１−２８）（配列番号：１２）；Ｌｅｕ１４，Ａｌａ１９，Ｐｈｅ２５−エキセンジン−４（１−２８）（配列番号：１３）；Ｌｅｕ１４，Ｌｙｓ１７，２０，Ａｌａ１９，Ｇｌｕ２１，Ｐｈｅ２５，Ｇｌｎ２８−エキセンジン−４（配列番号：１４）；Ｌｅｕ１４，Ｌｙｓ１７，２０，Ａｌａ１９，Ｇｌｕ２１，Ｇｌｎ２８−エキセンジン−４（配列番号：１５）；オクチルＧｌｙ１４，Ｇｌｎ２８−エキセンジン−４（配列番号：１６）；Ｌｅｕ１４，Ｇｌｎ２８，オクチルＧｌｙ３４−エキセンジン−４（配列番号：１７）；Ｐｈｅ４，Ｌｅｕ１４，Ｇｌｎ２８，Ｌｙｓ３３，Ｇｌｕ３４，Ｉｌｅ３５，３６，Ｓｅｒ３７−エキセンジン−４（１−３７）（配列番号：１８）；Ｐｈｅ４，Ｌｅｕ１４，Ｌｙｓ１７，２０，Ａｌａ１９，Ｇｌｕ２１，Ｇｌｎ２８−エキセンジン−４（配列番号：１９）；Ｖａｌ１１，Ｉｌｅ１３，Ｌｅｕ１４，Ａｌａ１６，Ｌｙｓ２１，Ｐｈｅ２５−エキセンジン−４（配列番号：２０）；エキセンジン−４−Ｌｙｓ４０（配列番号：２１）；リキシセナチド；ＣＪＣ−１１３４；［Ｎｅ−（１７−カルボキシヘプタデカン酸）Ｌｙｓ２０］エキセンジン−４−ＮＨ２（配列番号：４６）；［Ｎｅ−（１７−カルボキシヘプタデカノイル）Ｌｙｓ３２］エキセンジン−４−ＮＨ２（配列番号：４７）；［デスアミノＨｉｓ１，Ｎｅ−（１７−カルボキシヘプタデカノイル）Ｌｙｓ２０］エキセンジン−４−ＮＨ２（配列番号：４８）；［Ａｒｇ１２，２７，ＮＬｅ１４，Ｎｅ−（１７−カルボキシ−ヘプタデカノイル）Ｌｙｓ３２］エキセンジン−４−ＮＨ２（配列番号：４９）；［Ｎｅ−（１９−カルボキシ−ノナデカノイルアミノ）Ｌｙｓ２０］−エキセンジン−４−ＮＨ２（配列番号：５０）；［Ｎｅ−（１５−カルボキシペンタデカノイルアミノ）Ｌｙｓ２０］−エキセンジン−４−ＮＨ２（配列番号：５１）；［Ｎｅ−（１３−カルボキシトリデカノイルアミノ）Ｌｙｓ２０］エキセンジン−４−ＮＨ２（配列番号：５２）；［Ｎｅ−（１１−カルボキシ−ウンデカノイル−アミノ）Ｌｙｓ２０］エキセンジン−４−ＮＨ２（配列番号：５３）；エキセンジン−４−Ｌｙｓ４０（ｅ−ＭＰＡ）−ＮＨ２（配列番号：５４）；エキセンジン−４−Ｌｙｓ４０（ｅ−ＡＥＥＡ−ＡＥＥＡ−ＭＰＡ）−ＮＨ２（配列番号：５５）；エキセンジン−４−Ｌｙｓ４０（ｅ−ＡＥＥＡ−ＭＰＡ）−ＮＨ２（配列番号：５６）；エキセンジン−４−Ｌｙｓ４０（ｅ−ＭＰＡ）−アルブミン（配列番号：５７）；エキセンジン−４−Ｌｙｓ４０（ｅ−ＡＥＥＡ−ＡＥＥＡ−ＭＰＡ）−アルブミン（配列番号：５８）；またはエキセンジン−４−Ｌｙｓ４０（ｅ−ＡＥＥＡ−ＭＰＡ）−アルブミン（配列番号：５９）である、請求項１に記載の製剤。
【請求項８】
前記トリグリセリドが、（ｉ）０〜２ｗｔ％のＣ６脂肪酸、６５〜８０ｗｔ％のＣ８脂肪酸、２０〜３５ｗｔ％のＣ１０脂肪酸および０〜２ｗｔ％のＣ１２脂肪酸；または（ｉｉ）０〜２ｗｔ％のＣ６脂肪酸、５０〜６５ｗｔ％のＣ８脂肪酸、３０〜４５ｗｔ％のＣ１０脂肪酸、および０〜２ｗｔ％のＣ１２脂肪酸を含むものである、請求項１〜７のいずれか１項に記載の製剤。
【請求項９】
前記トリグリセリドが、０〜２ｗｔ％のＣ６脂肪酸、５０〜６５ｗｔ％のＣ８脂肪酸、３０〜４５ｗｔ％のＣ１０脂肪酸および０〜２ｗｔ％のＣ１２脂肪酸を含むものである、請求項１〜７のいずれか１項に記載の製剤。
【請求項１０】
ラクチドのグリコリドに対する比が、５０：５０である、請求項１に記載の製剤。
【請求項１１】
（ｉ）１つまたはそれ以上のＣ６〜Ｃ１２脂肪酸トリグリセリドを含む医薬的に許容される非水性担体；および
（ｉｉ）約５％（ｗ／ｗ）のエクセナチドおよび約２％（ｗ／ｗ）のショ糖をその中に分散させたポリ（ラクチド−ｃｏ−グリコリド）ポリマーを含むマイクロスフェア（ここで、ポリマー中のラクチド：グリコリドの比は、約１：１であり；前記エクセナチドは、５ｍｇ〜１１ｍｇの量で存在する）
の懸濁液から実質的になる、予め混合して製造された注射用製剤。
【請求項１２】
治療または減少を必要とする患者における、過体重の治療、肥満症の治療、体重の減少、循環器疾患の治療、脂肪肝疾患の治療、胃腸疾患の治療または神経変性疾患の治療のための請求項１〜１１のいずれか１項に記載の予め混合して製造された注射用製剤を含む医薬組成物であって、前記患者への１ヶ月に１回の投与が、最初の８時間にわたる小さい一時的上昇、続いて安定期、および約６〜７週間での１つの大きなピークを示すインビボ放出プロファイルを達成するものであって、エクセナチドまたはＧＬＰ−１受容体アゴニストの約７０％は、４〜８週間で放出され、Ｔｍａｘは、約４２〜４９日で大きなピークを生じ、前記エクセナチドまたはＧＬＰ−１受容体アゴニストの０．５％以下は、注射後最初の２４時間以内に放出されるものである、医薬組成物。
【請求項１３】
請求項１〜１１のいずれか１項に記載の予め混合して製造された注射用製剤を含む容器。
【手続補正書】
【提出日】平成27年6月19日(2015.6.19)
【手続補正１】
【補正対象書類名】明細書
【補正対象項目名】０００５
【補正方法】変更
【補正の内容】
【０００５】
化合物１は、薬学的見地から取扱いが困難であり、非結晶性であるので精製するのが困難であり、不安定である。化合物１を調製および精製するための改善された方法が必要とされている。化合物１の高純度および貯蔵安定性形態も必要とされている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，０８３，９０３号明細書
（特許文献２）  国際公開第２００９／０２０４４８号
（非特許文献）
（非特許文献１）  Ｋｕｐｐｅｒｍａｎｎ  ｅｔ．ａｌ．（Ｃａｎｃｅｒ  Ｒｅｓ．（Ｍａｒｃｈ  ２０１０）７０：１９７０−１９８０）．
（非特許文献２）  Ｋｕｐｐｅｒｍａｎ  ｅｔ  ａｌ．"Ｅｖａｌｕａｔｉｏｎ  ｏｆ  ｔｈｅ  Ｐｒｅｃｌｉｎｉｃａｌ  Ｍｏｄｅｌｓ  ｏｆ  Ｈｕｍａｎ  Ｃａｎｃｅｒ  Ｒｅｓｅａｒｃｈ"，７０（５），１９７０−１９８０  ＣＯＤＥＮ：ＣＮＲＥＡ８；ＩＳＳＮ：００８−５４７２，２０１０，ＸＰ００２６８２７５０，Ｆｅｂｒｕａｒｙ  ２０１０  Ｐａｇｅｓ  １９７２−１９７３；Ｓｕｐｐｌｅｍｅｎｔａｒｙ  ｄａｔａ
（非特許文献３）  ＫＵＰＰＥＲＭＡＮ，ＥＲＩＫ  ＥＴ  ＡＬ："Ｅｖａｌｕａｔｉｏｎ  ｏｆ  ｔｈｅ  Ｐｒｏｔｅａｓｏｍｅ  Ｉｎｈｉｂｉｔｏｒ  ＭＬＮ９７０８  ｉｎ  Ｐｒｅｃｌｉｎｉｃａｌ  Ｍｏｄｅｌｓ  ｏｆ  Ｈｕｍａｎ  Ｃａｎｃｅｒ"，ＣＡＮＣＥＲ  ＲＥＳＥＡＲＣＨ，７０（５），１９７０−１９８０  ＣＯＤＥＮ：ＣＮＲＥＡ８；ＩＳＳＮ：０００８−５４７２，２０１０，ＸＰ００２６８２７５０，ｐａｇｅｓ  １９７２−７３；ｓｕｐｐｌｅｍｅｎｔａｒｙ  ｄａｔａ
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
少なくとも約1％の一酸化窒素を含む加圧ガスが入った圧力容器を含む、医薬製品。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
チクングニアウイルスによって引き起こされる感染症の予防、処置及び診断のための治療的活性成分として、ネッタイシマカに対する前記ウイルスの適応を増加させる１又は２以上のミュータントを有しかつヒトスジシマカに感染し得る不活化チクングニアウイルス株、又は前記株由来の精製ウイルス抗原を含み、それによりチクングニアウイルスの任意の遺伝子型バリアント又はミュータントに対する免疫を付与することのできる安定ワクチン組成物。
【請求項２】
チクングニアウイルス感染症に対する有望なワクチン候補として使用される、真核生物又は原核生物発現ベクターにおける構造的抗原の組換えクローニング及び発現用に、チクングニアウイルス分離株のウイルス株が、配列番号１〜７及び配列番号１５〜２０に開示されるヌクレオチド配列を含有するTN01610、TN015110、TN06210、TN06310、TN06410及びAP109から選択される、請求項１に記載のワクチン組成物。
【請求項３】
チクングニアウイルス株が、構造ポリタンパク質内に、Ｅ１構造糖タンパク質のE1-K211Eに対応する非同義変異K1020Eを、単独で、又はチクングニアウイルスの構造ポリタンパク質配列のA232V、D301N、K327N、G380R、K391E、V589A、P867L、G1004R、及びA1035Vから選択される他の変異との組み合わせで有する、請求項１又は２に記載のワクチン組成物。
【請求項４】
チクングニアウイルス分離株が、チクングニアウイルス感染症及びその任意の遺伝子型又はミュータントに対するワクチン抗原として使用するための、配列番号１〜７のヌクレオチドにそれぞれ対応する配列番号８〜１４に開示される構造ポリタンパク質配列を有する、請求項２又は３に記載のワクチン組成物。
【請求項５】
治療的活性を持つ抗原が、開示されるチクングニアウイルス株のカプシドタンパク質と構造糖タンパク質の組み合わせであり、ウイルス様粒子として発現するためのC-E3-E2-6K-E1、C-E2-E1、及びE2-E1タンパク質を含む、請求項１〜４のいずれかに記載のワクチン組成物。
【請求項６】
開示されるチクングニアウイルス株の組換えタンパク質の発現のための原核生物発現系が大腸菌であり、真核生物発現系が酵母ピキア・パストリスである、請求項１〜５のいずれかに記載のワクチン組成物。
【請求項７】
チクングニアウイルスが、以下のいずれかの方法で不活性化される、請求項１〜６のいずれかに記載のワクチン組成物。
ｉ）４５℃〜６０℃で３０分〜４時間、熱不活化；
ii）２５４ｎｍで３０分〜１２０分、紫外線照射；
iii）２℃〜８℃で７日間又は２０℃〜２５℃の範囲の環境温度で２日間、最大１：３０００（ホルマリン：ウイルス）の比でホルマリン処置；
iv）２℃〜８℃で７日間又は２０℃〜２５℃の範囲の環境温度で２日間、最大１：１０００〜１：２５００（ＢＰＬ：ウイルス）の比でβプロピオラクトン（以下、ＢＰＬ）処理であり、添加剤はグリシン、マンニトール、ソルビトール、スクロース及びトレハロースから選択される；
ｖ）６０Ｃｏ源からの１０ｋＧｙ（キログレイ）〜２５ｋＧｙの線量にウイルス試料を曝露することによるγ線照射； 
【請求項８】
（ａ）水酸化アルミニウム、（ｂ）リン酸アルミニウム、（ｃ）γイヌリン、（ｄ）アルガムリン（水酸化アルミニウムとγイヌリンとの組合せ）、（ｅ）油中コレカルシフェロール、（ｆ）１０ｍＭリン酸−クエン酸緩衝液中にスクアレン、tween-80、Span-85を含有する水中油型エマルジョンＯＷＥＭ１、（ｇ）リン酸−クエン酸緩衝液中にスクアレン、tween-80、Span-85、α−トコフェロールを含有する水中油型エマルジョンＯＷＥＭ２、（ｈ）リン酸−クエン酸緩衝液中にスクアレン、tween-80、Span-85、コレカルシフェロールを含有する水中油型エマルジョンＯＷＥＭ３から選択されるアジュバントをさらに含む、請求項１〜７のいずれかに記載のワクチン組成物。
【請求項９】
４０ｍＭのリン酸緩衝液及び１５０ｍＭのＮａＣｌ中に、ヒト１回あたり１μｇ〜１００μｇの範囲の用量のウイルス抗原をさらに含む、請求項１〜８のいずれかに記載のワクチン組成物。
【請求項１０】
請求項１〜９のいずれかに記載のワクチン組成物を含む、チクングニアウイルス感染症に対するヒト個体の防御的免疫応答の誘導剤であって、筋肉内、皮内、皮下、静脈内、経口又は鼻腔内から選択される経路のいずれかでヒトに投与される、前記誘導剤。
【請求項１１】
チクングニアウイルス分離株を含む、ヒトにおけるチクングニアウイルス感染症の検出のための免疫診断剤であって、前記チクングニアウイルス分離株の構造ポリタンパク質遺伝子配列が配列番号１〜７に開示され、それから翻訳されるタンパク質が配列番号８〜１４に開示される、前記免疫診断剤。
【請求項１２】
ヒトにおけるチクングニアウイルス感染症及び日本脳炎ウイルス感染症に対する防御的免疫応答を誘導するための組合せワクチン組成物であって、
不活化チクングニアウイルス抗原と、
不活化日本脳炎全ウイルス粒子抗原と、
（ａ）水酸化アルミニウム、（ｂ）リン酸アルミニウム、（ｃ）γイヌリン、（ｄ）アルガムリン（水酸化アルミニウムとγイヌリンとの組合せ）、（ｅ）油中コレカルシフェロール、（ｆ）１０ｍＭリン酸−クエン酸緩衝液中にスクアレン、tween-80、Span-85を含有する水中油型エマルジョンＯＷＥＭ１、（ｇ）リン酸−クエン酸緩衝液中にスクアレン、tween-80、Span-85、α−トコフェロールを含有する水中油型エマルジョンＯＷＥＭ２、及び（ｈ）リン酸−クエン酸緩衝液中にスクアレン、tween-80、Span-85、コレカルシフェロールを含有する水中油型エマルジョンＯＷＥＭ３から選択されるアジュバント
とを含む、前記組合せワクチン組成物。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
炎症性の腸疾患を有する個体において組織トランスグルタミナーゼ（ＴＧ２）の活性化を低下させるための製剤の製造における、ＴＧ２活性を低下させるための有効量でＴＧ２活性化または活性を遮断する薬剤の使用であって、
製剤が、炎症性の腸疾患を有する前記個体に投与するために使用される、使用。
【請求項２】
ＴＧ２活性は腸のＴＧ２活性である、ことを特徴とする請求項１に記載の使用。
【請求項３】
炎症性の腸疾患は、セリアックスプルーである、ことを特徴とする請求項１に記載の使用。
【請求項４】
薬剤はＰＩ３キナーゼを阻害する、ことを特徴とする請求項１に記載の使用。
【請求項５】
薬剤はＬＹ２９４００２である、ことを特徴とする請求項４に記載の使用。
【請求項６】
薬剤はチオレドキシンを阻害する、ことを特徴とする請求項１に記載の使用。
【請求項７】
薬剤は、２−（ｓｅｃ−ブチルジスルファニル）−５−ニトロ−１Ｈ−ベンゾ［ｄ］イミダゾール、２−（ｓｅｃ−ブチルジスルファニル）ベンゾ［ｄ］チアゾール、２−（ｓｅｃ−ブチルジスルファニル）ベンゾ［ｄ］オキサゾール、２−（シクロペンチルジスルファニル）−１Ｈ−ベンゾ［ｄ］イミダゾール、および、２−（シクロヘキシルジスルファニル）−１Ｈ−ベンゾ［ｄ］イミダゾールからなる群から選択される、ことを特徴とする請求項６に記載の使用。
【請求項８】
薬剤はＴＧ２を阻害する、ことを特徴とする請求項１に記載の使用。
【請求項９】
薬剤は、（２Ｓ，４Ｓ）−キノリン−３−イルメチル  ２−（（（Ｓ）−３−ブロモ−４，５−ジヒドロイソキサゾール−５−イル）メチルカルバモイル）−４−フルオロピロリジン−１−カルボン酸塩；（２Ｓ，４Ｓ）−キノリン−３−イルメチル  ２−（（（Ｓ）−３−ブロモ−４，５−ジヒドロイソキサゾール−５−イル）メチルカルバモイル）−４−ヒドロキシピロリジン−１−カルボン酸塩；（２Ｓ，４Ｒ）−キノリン−３−イルメチル  ２−（（（Ｓ）−３−ブロモ−４，５−ジヒドロイソキサゾール−５−イル）メチルカルバモイル）−４−（ｐｒｏｐ−２−ｙｎｙｌｏｘｙ）ピロリジン−１−カルボン酸塩からなる群から選択される、ことを特徴とする請求項８に記載の使用。
【請求項１０】
炎症性の腸疾患は、疱疹状皮膚炎、過敏性腸症候群、および、クローン病から選択される、ことを特徴とする請求項１に記載の使用。
【請求項１１】
薬剤はＰＩ３キナーゼを阻害する、ことを特徴とする請求項１０に記載の使用。
【請求項１２】
薬剤はＬＹ２９４００２である、ことを特徴とする請求項１１に記載の使用。
【請求項１３】
薬剤はチオレドキシンを阻害し、２−（ｓｅｃ−ブチルジスルファニル）−５−ニトロ−１Ｈ−ベンゾ［ｄ］イミダゾール、２−（ｓｅｃ−ブチルジスルファニル）ベンゾ［ｄ］チアゾール、２−（ｓｅｃ−ブチルジスルファニル）ベンゾ［ｄ］オキサゾール、２−（シクロペンチルジスルファニル）−１Ｈ−ベンゾ［ｄ］イミダゾール、および、２−（シクロヘキシルジスルファニル）−１Ｈ−ベンゾ［ｄ］イミダゾールからなる群から選択される、ことを特徴とする請求項１０に記載の使用。
【請求項１４】
薬剤はＴＧ２を阻害する、ことを特徴とする請求項１０に記載の使用。
【請求項１５】
薬剤は、（２Ｓ，４Ｓ）−キノリン−３−イルメチル  ２−（（（Ｓ）−３−ブロモ−４，５−ジヒドロイソキサゾール−５−イル）メチルカルバモイル）−４−フルオロピロリジン−１−カルボン酸塩；（２Ｓ，４Ｓ）−キノリン−３−イルメチル  ２−（（（Ｓ）−３−ブロモ−４，５−ジヒドロイソキサゾール−５−イル）メチルカルバモイル）−４−ヒドロキシピロリジン−１−カルボン酸塩；（２Ｓ，４Ｒ）−キノリン−３−イルメチル  ２−（（（Ｓ）−３−ブロモ−４，５−ジヒドロイソキサゾール−５−イル）メチルカルバモイル）−４−（ｐｒｏｐ−２−ｙｎｙｌｏｘｙ）ピロリジン−１−カルボン酸塩からなる群から選択される、ことを特徴とする請求項１４に記載の使用。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
虚血を有するまたは虚血の危険性のある対象者を治療するための、ＰＳＤ−９５阻害剤を含む医薬組成物であって、
前記対象者は、再かん流療法を実施され、
前記ＰＳＤ−９５阻害剤および再かん流療法は、前記対象者の中枢神経系に対する虚血の損傷作用を治療するものであり、
前記ＰＳＤ−９５阻害剤は、前記再かん流療法が実施される前に投与され、
前記再かん流療法は、ＣＴ，ＭＲＩまたはＰＥＴ分析によって示される、虚血ペナンブラおよび出血がないことに基づいて、再かん流について対象者が適格であると決定した後に実施されることを特徴とする医薬組成物。
【請求項２】
前記ＰＳＤ−９５阻害剤は、虚血の危険性のある対象者に、虚血の発症前に投与され、
前記再かん流療法は、虚血の発症後に実施されることを特徴とする請求項１に記載の医薬組成物。
【請求項３】
前記ＰＳＤ−９５阻害剤は、虚血の発症後に投与され、
再かん流療法は、虚血の発症後に実施されることを特徴とする請求項１に記載の医薬組成物。
【請求項４】
前記虚血は、脳虚血であることを特徴とする請求項１に記載の医薬組成物。
【請求項５】
前記対象者は、脳卒中を有していることを特徴とする請求項１に記載の医薬組成物。
【請求項６】
前記ＰＳＤ−９５阻害剤は、ｔａｔ−ＮＲ２Ｂ９ｃであることを特徴とする請求項１に記載の医薬組成物。
【請求項７】
前記再かん流は、血栓溶解剤を投与することによって実施されることを特徴とする請求項１に記載の医薬組成物。
【請求項８】
前記血栓溶解剤は、プラスミノーゲン活性化因子であることを特徴とする請求項７に記載の医薬組成物。
【請求項９】
前記血栓溶解剤はｔＰＡであることを特徴とする請求項８に記載の医薬組成物。
【請求項１０】
前記再かん流療法は、機械的再かん流であることを特徴とする請求項１に記載の医薬組成物。
【請求項１１】
前記再かん流療法は、虚血の発症後４．５時間よりも後に実施されることを特徴とする請求項１に記載の医薬組成物。
【請求項１２】
前記阻害剤は、内在化ペプチドに結合するか脂質付加されているペプチドであり、これによって、細胞膜または血液脳関門の透過が容易になっていることを特徴とする請求項１に記載の医薬組成物。
【請求項１３】
前記ペプチドは、ＫＬＳＳＩＥＳＤＶ（配列番号５）もしくはＫＬＳＳＩＥＴＤＶ（配列番号４３）から成る、またはＫＬＳＳＩＥＳＤＶ（配列番号５）もしくはＫＬＳＳＩＥＴＤＶ（配列番号４３）を含むアミノ酸配列を有することを特徴とする請求項１２に記載の方法。
【請求項１４】
前記ペプチドは、前記ペプチドのＮ末端においてミリストイル化されていることを特徴とする請求項１３に記載の方法。
【請求項１５】
ＮＭＤＡＲ ２Ｂ，２ＡまたはｎＮＯＳに結合するＰＳＤ−９５を阻害する阻害剤も受ける対象者における再かん流療法に使用するための薬剤を含む医薬組成物であって、
前記再かん流療法および前記薬剤は、中枢神経系に対する虚血の損傷作用を治療し、
前記ＰＳＤ−９５阻害剤は、前記再かん流療法が実施される前に投与され、
前記再かん流療法は、ＣＴ，ＭＲＩまたはＰＥＴ分析によって示される、虚血ペナンブラおよび出血がないことに基づいて、再かん流療法について対象者が適格であると決定した後に実施されることを特徴とする、薬剤を含む医薬組成物。
【請求項１６】
前記薬剤は、血栓溶解剤、血管拡張剤または高血圧剤であることを特徴とする請求項１５に記載の医薬組成物。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
Fzd2をダウンモジュレートする抗体またはその抗原結合断片の治療的有効量を含む、対象における癌を処置するための薬学的組成物であって、該抗体またはその抗原結合断片が、該対象の癌細胞に送達されて、それによって癌を処置する、薬学的組成物。
【請求項２】
Fzd2をダウンモジュレートする抗体またはその抗原結合断片の治療的有効量を含む、対象における癌細胞の増殖、遊走、および／または浸潤を阻害するための薬学的組成物であって、該抗体またはその抗原結合断片が癌細胞に送達されて、それによって癌を処置する、薬学的組成物。
【請求項３】
抗体が、Fzd2に特異的に結合する、請求項1または2のいずれかに記載の薬学的組成物。
【請求項４】
抗体がFzd2に結合し、かつ癌細胞によるFzd2受容体のインターナリゼーションを促進する、請求項3記載の薬学的組成物。
【請求項５】
Fzd2に対する抗体がFzd2に対するリガンドの結合を防止する、請求項3〜4のいずれかに記載の薬学的組成物。
【請求項６】
抗体がFzd2タンパク質の細胞外部分に特異的に結合する、請求項3〜5のいずれか1項に記載の薬学的組成物。
【請求項７】
抗体が、Fzd2の24〜247番目のアミノ酸に対応するFzd2の領域内でFzd2に特異的に結合する、請求項3〜6のいずれか1項に記載の薬学的組成物。
【請求項８】
抗体が、Fzd2の125〜163番目のアミノ酸に対応するFzd2の領域内でFzd2に特異的に結合する、請求項3〜7のいずれか1項に記載の薬学的組成物。
【請求項９】
抗体が、Fzd2の134〜163番目のアミノ酸に対応するFzd2の領域内でFzd2に特異的に結合する、請求項3〜7のいずれか1項に記載の薬学的組成物。
【請求項１０】
抗体が、Fzd2の144〜163番目のアミノ酸に対応するFzd2の領域内でFzd2に特異的に結合する、請求項3〜7のいずれか1項に記載の薬学的組成物。
【請求項１１】
抗体が、エピトープ
2014520121.tif 000001
に特異的に結合する、請求項3〜10のいずれか1項に記載の薬学的組成物。
【請求項１２】
抗体がモノクローナル抗体である、請求項3〜11のいずれか1項に記載の薬学的組成物。
【請求項１３】
抗体がポリクローナル抗体である、請求項3〜11のいずれか1項に記載の薬学的組成物。
【請求項１４】
抗体がヒト化抗体である、請求項3〜12のいずれか1項に記載の薬学的組成物。
【請求項１５】
癌が、消化管癌、前立腺癌、卵巣癌、乳癌、頭頚部癌、肺癌、非小細胞肺癌、神経系の癌、腎臓癌、網膜癌、皮膚癌、肝臓癌、膵臓癌、尿生殖器癌、および膀胱癌からなる群より選択される、請求項1〜14のいずれか1項に記載の薬学的組成物。
【請求項１６】
癌が肝臓癌である、請求項1〜15のいずれか1項に記載の薬学的組成物。
【請求項１７】
癌が後期肝細胞癌である、請求項1〜16のいずれか1項に記載の薬学的組成物。
【請求項１８】
癌がFzd2の過剰発現を示す、請求項1〜17のいずれか1項に記載の薬学的組成物。
【請求項１９】
癌がWnt5aの過剰発現を示す、請求項1〜18のいずれか1項に記載の薬学的組成物。
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
対象の患部へボツリヌス毒素を投与することを含む、脂肪沈着物を処置するための方法であって、該投与は局所投与を含み、人間を手術、治療または診断する方法ではない方法。
【請求項２】
前記対象が女性である、請求項１に記載の方法。
【請求項３】
前記ボツリヌス毒素がＡ型ボツリヌス毒素である、請求項１または２に記載の方法。
【請求項４】
脂肪沈着物を処置するためのボツリヌス組成物であって、ボツリヌス毒素を有効成分として含有し、対象の患部に投与され、該投与は局所投与を含む、ボツリヌス組成物。
【請求項５】
前記対象が女性である、請求項４に記載のボツリヌス組成物。
【請求項６】
前記ボツリヌス毒素がＡ型ボツリヌス毒素である、請求項４または５に記載のボツリヌス組成物。
【請求項７】
脂肪沈着物を処置するためのボツリヌス組成物であって、ボツリヌス毒素を有効成分として含有し、対象の患部に投与され、該投与は注射による投与を含む、ボツリヌス組成物。
【請求項８】
前記対象が女性である、請求項７に記載のボツリヌス組成物。
【請求項９】
前記ボツリヌス毒素がＡ型ボツリヌス毒素である、請求項７または８に記載のボツリヌス組成物。
【請求項１０】
Ａ型ボツリヌス毒素約２００〜約３００単位の量で投与される、請求項９に記載のボツリヌス組成物。
【請求項１１】
約２〜約６カ月ごとに再投与される、請求項１０に記載のボツリヌス組成物。
【請求項１２】
前記Ａ型ボツリヌス毒素が、９００ｋＤａのＡ型ボツリヌス毒素複合体を含む、請求項９〜１１のいずれかに記載のボツリヌス組成物。